(57)【特許請求の範囲】
【請求項１】
ＣＲＴ周辺の外部磁界を検出する外部磁界検出手段と、
前記ＣＲＴの周辺に配置され、外部磁界を補正するための外部磁界補正コイルと、
前記外部磁界補正コイルに流れる電流値を検出する外部磁界補正コイル電流検出手段と、
前記外部磁界検出手段の検出結果に基づいて、前記外部磁界補正コイルに外部磁界補正用の補正電流を流す外部磁界補正用電流駆動手段と、
前記ＣＲＴ周辺の外部磁界が零の時に、前記外部磁界補正用電流駆動手段の出力が所定値以下になるように前記外部磁界補正用電流駆動手段のオフセット値を調整すると共に、この調整値を記憶するオフセット値調整手段とを備えたことを特徴とする外部磁界補正装置。
【請求項２】
外部磁界検出手段の出力が所定値以上の場合は、異常と判断してオフセット調整手段の動作を中断し、スキップさせる異常入力除去手段を備えたことを特徴とする請求項１に記載の外部磁界補正装置。
【請求項３】
オフセット値調整手段は外部との通信手段を有し、該通信手段を利用して外部調整器により外部磁界補正用電流駆動手段のオフセット値を調整するように構成したことを特徴とする請求項１に記載の外部磁界補正装置。
【請求項４】
外部磁界補正コイル電流検出手段は、外部磁界補正コイルに直列に挿入された抵抗器であることを特徴とする請求項１に記載の外部磁界補正装置。
【請求項５】
請求項１乃至４のいずれかに記載の外部磁界補正装置を備えたことを特徴とするＣＲＴディスプレイ装置。
【請求項６】
外部磁界補正装置の調整メニューを含むＯＳＤ回路を有し、あらかじめ設定された調整メニューにしたがって外部磁界の補正を行うように構成されたことを特徴とする請求項５に記載のＣＲＴディスプレイ装置。
【発明の詳細な説明】
【０００１】
【発明の属する技術分野】
この発明は、地磁気等による外部磁界の画質への影響を自動的に補正する外部磁界補正装置およびこれを用いたＣＲＴディスプレイ装置に関する。
【０００２】
【従来の技術】
図８は、例えば特開平２−２１４２８８号公報に示された従来のＣＲＴディスプレイ装置の外部磁界補正装置の構成を示すブロック図である。
図において、１はＣＲＴ（陰極線管）、２は水平方向（管軸方向）磁界補正コイル、３は垂直方向（管軸と直交の上下方向）磁界補正コイル、４は水平方向磁界検出素子、５はバイアス回路、６は増幅回路、７はオフセット電圧発生回路、８は増幅回路６の出力とオフセット電圧発生回路７の出力とが入力される加算器、９は加算器８の出力が入力される平滑回路、１０は平滑回路９の出力が入力され、その出力が水平方向磁界補正コイル２に接続される水平磁界補正用電流駆動回路である。
一方、１１は垂直方向磁界検出素子、１２はバイアス回路、１３は増幅回路、１４はオフセット電圧発生回路、１５は増幅回路１３の出力とオフセット電圧発生回路１４の出力とが入力される加算器、１６は加算器１５の出力が入力される平滑回路、１７は平滑回路１６の出力が入力され、その出力が垂直方向磁界補正コイル３に接続される電流駆動回路である。
【０００３】
また、図９は、例えば特開昭６０−１１８８７９号公報に示された従来のＣＲＴディスプレイ装置の外部磁界補正装置の構成を示すブロック図である。
図において、４は水平方向磁界検出素子、３７は水平方向磁界検出素子４が検出した検出磁界強度を記憶する記憶装置（不揮発性メモリ）、２０は記憶装置３７に記憶した所定位置での磁界強度と水平方向磁界検出素子４で検出した他の位置での磁界強度との差を検出する磁界強度差検出器である。
磁界強度差検出器２０の出力は水平磁界補正用電流駆動回路１０に入力され、水平磁界補正用電流駆動回路１０の出力は水平方向磁界補正コイル２に接続されている。
【０００４】
次に、動作について説明する。
図８において、ディスプレイ装置のＣＲＴ１は水平方向磁界補正コイル２と垂直方向磁界補正コイル３の発生する磁界と外部磁界の組み合わせによる磁界の中に置かれている。
この磁界中に磁界の強さと極性を電気信号に変換する水平方向磁界検出素子４を配置する。
磁界中に置かれた水平方向磁界検出素子４の出力電圧は、水平方向磁界検出素子４が置かれた磁界の外部磁界の水平成分と水平方向磁界補正コイル３によって生じる磁界の和に対応する。水平方向磁界検出素子４の出力は微小であるので増幅器６により増幅を行う。
オフセット電圧発生回路７は、水平方向磁界検出素子４の置かれた空間の磁界の強さが零の時の増幅回路６が出力する増幅検出電圧と絶対値が等しく極性が反対の直流電圧を発生するものである。
【０００５】
この場合、水平方向磁界検出素子４の置かれた空間の磁界の強さが零の時の増幅回路６が出力する増幅検出電圧は、水平方向磁界検出素子４の製造バラツキ、水平方向磁界検出素子４とシャーシ構成部品等に用いられている磁性体との位置関係のバラツキや増幅回路を構成する部品のバラツキ等の要因によって個別の製品毎にバラツキを生ずる。従って、オフセット電圧発生回路７は個別の製品毎に調整を行う必要がある。
加算器８は、水平方向磁界検出素子４の置かれた空間の磁界の強さが零の時に零を出力し、水平方向磁界補正コイル２にあらかじめ規定した正の電流を流した時に発生する磁界に対して負の値を出力し、水平方向磁界補正コイル２にあらかじめ規定した負の電流を流した時に発生する磁界に対して正の値を出力することになる。加算器８の出力は、平滑回路９により平滑される。
【０００６】
平滑回路９の出力は、水平磁界補正用電流駆動回路１０に入力される。この水平磁界補正用電流駆動回路１０は電流を双方向に流すことができる回路で構成されており、水平方向磁界補正コイル２に電流を供給する。
これにより、水平方向磁界補正コイル２によって発生した磁界と外部磁界の水平方向成分の和を水平方向磁界検出素子４が検出した結果が零に収束する制御ループが構成される。
以上、水平方向磁界補正について述べたが、垂直磁界補正についても同様である。
【０００７】
次に、図９に示した従来例の外部磁界補正装置の場合について説明する。
まず、ＣＲＴ（図示せず）の製造段階（偏向コイルとの組み合わせ組み立て工程）において、偏向コイル（図示せず）等の設置位置や電気磁気的特性を調整する。
この時、当該調整と共に水平方向磁界検出素子４で検出される外部磁界強度を記憶装置３７に記憶する。この状態でＣＲＴディスプレイ装置として完成させ、出荷する。
そして、その出荷先で当該ＣＲＴディスプレイ装置を使用する場合、水平方向磁界検出素子４で検出される当該地での外部磁界強度検出結果と上記の記憶装置３７に記憶された磁界強度との差に比例した電流が磁界強度差検出器２０から水平磁界補正用電流駆動回路１０を介して水平方向磁界補正コイル２に供給され、この水平方向磁界補正コイル２によって発生する磁界によって、ＣＲＴ（図示せず）に対する外部磁界（管軸方向）が強制的に当該ＣＲＴディスプレイの調整位置（生産地）での外部磁界と同様なものに補正される。
【０００８】
【発明が解決しようとする課題】
従来のＣＲＴディスプレイ装置の外部磁界補正装置は以上のように構成されているので、以下のような問題点がある。
図８の例において、オフセット電圧発生回路７は個別の製品毎に動作の調整を行う必要があり、調整に手間がかかり製品のコストアップにつながる。
また、ＣＲＴディスプレイ装置の設置場所や向きを変更した場合等においては、ＣＲＴディスプレイ装置の性能を最大限に発揮させるために内蔵の消磁回路または外部の消磁器を用いてＣＲＴを含むディスプレイ装置全体の消磁を行う必要がある。
内蔵の消磁回路または外部の消磁器が動作する場合、水平方向磁界検出素子４の周辺磁界は地磁気等の通常の外部磁界に比べ異常に大きい磁界が検出されるので、図８の例では誤動作する恐れがある。
【０００９】
つまり、図８の例に記載された平滑回路９は、通常動作時に印加される高調波ノイズ等の外乱のレベルに対して有効であり、かつ設置環境の変更や電源の投入時において支障が無い程度（数秒以内）の動作応答時間にて動作する必要があるが、この場合、内蔵の消磁回路または外部の消磁器が動作する時に発生するような異常に大きな磁界の影響を除去することは出来ない。
従って、内蔵の消磁回路または外部の消磁器が動作する間に磁気補正装置が誤動作し、補正コイルに異常な電流が流れるとディスプレイ装置が逆に着磁され、外部磁界補正装置の性能が著しく悪化する場合があり問題である。
【００１０】
一方、図９の例においても、図８の従来例と同様に内蔵の消磁回路または外部の消磁器の動作による誤動作の問題がある。
また、ＣＲＴ（図示せず）の製造段階（偏向コイルとの組み合わせ組み立て工程）において、偏向コイル（図示せず）等の設置位置や電気磁気的特性を調整する場合、磁界検出器、差検出器、増幅器等の動作バラツキによるオフセット電流のバラツキを一定値以内に設定する必要がある。
これはＣＲＴや偏向ヨークの設計上の組み立て調整条件（周辺磁界）を保証するためである。
つまり、図９の従来例は、製品出荷後に問題となる磁界検出器の出力の個体バラツキ等を記憶装置と差検出器によって解決しているように見えるが、製品組み立て時に問題となる初期偏差の問題は解決していない。
従って、ここでもオフセット電流の調整が必要である。
【００１１】
この発明は上記のような問題点を解消するためになされたもので、ＣＲＴディスプレイ装置の製造工程において問題となる磁気補正回路の動作電流のオフセット電流のバラツキを自動的に一定値以下に抑えることが出来る外部磁界補正装置および内蔵の消磁回路または外部の消磁器の動作による誤動作の問題の発生を抑えることが出来る外部磁界補正装置あるいはこのような外部磁界補正装置を備えたＣＲＴディスプレイ装置を提供することを目的とする。
【００１２】
【課題を解決するための手段】
この発明に係る外部磁界補正装置は、ＣＲＴ周辺の外部磁界を検出する外部磁界検出手段と、ＣＲＴの周辺に配置され、外部磁界を補正するための外部磁界補正コイルと、外部磁界補正コイルに流れる電流値を検出する外部磁界補正コイル電流検出手段と、外部磁界検出手段の検出結果に基づいて外部磁界補正コイルに外部磁界補正用の補正電流を流す外部磁界補正用電流駆動手段と、ＣＲＴ周辺の外部磁界が零の時に、外部磁界補正用電流駆動手段の出力が所定値以下になるように外部磁界補正用電流駆動手段のオフセット値を調整すると共に、この調整値を記憶するオフセット値調整手段とを備えたものである。
【００１３】
また、この発明に係る外部磁界補正装置は、外部磁界検出手段の出力が所定値以上の場合は、異常と判断してオフセット調整手段の動作を中断し、スキップさせる異常入力除去手段を備えたものである。
【００１４】
また、この発明に係る外部磁界補正装置のオフセット値調整手段は、外部との通信手段を有し、該通信手段を利用して外部調整器により外部磁界補正用電流駆動手段のオフセット値を調整するように構成したものである。
【００１５】
また、この発明に係る外部磁界補正装置の外部磁界補正コイル電流検出手段は、外部磁界補正コイルに直列に挿入された抵抗器であることを特徴とするものである。
【００１６】
また、この発明に係るＣＲＴディスプレイ装置は、請求項１乃至４のいずれかに記載の外部磁界補正装置を備えたことを特徴とするものである。
【００１７】
また、この発明に係るＣＲＴディスプレイ装置は、外部磁界補正装置の調整メニューを含むＯＳＤ回路を有し、あらかじめ設定された調整メニューにしたがって外部磁界の補正を行うように構成されたものである。
【００１８】
【発明の実施の形態】
実施の形態１．
以下、この発明の一実施の形態を図面に基づいて説明する。尚、従来と同一符号は従来のものと同一あるいは相当のものを表す。
図１は、実施の形態１による外部磁界補正装置の構成を示すブロック図である。
図において、２は水平方向（管軸方向）の外部磁界をキャンセルするための水平方向磁界補正コイルであり、水平方向磁界補正コイル２に取り付けられた接続用コネクタ３３および制御回路１００上の接続用コネクタ３２を介して水平磁界補正用電流駆動回路１０の出力端子に接続されている。
水平磁界補正用電流駆動回路１０の入力は、電圧増幅回路２６を介してマイクロコンピュータ２１のＤ／Ａ変換出力端子Ｐ１０に接続されている。
マイクロコンピュータ２１の入力端子Ｐ１２にはタクトスイッチ（指令用スイッチとも称す）２５が、入出力端子Ｐ１３、Ｐ１４、Ｐ１５には不揮発性メモリ（ＥＥＰＲＯＭ）１９が、出力端子Ｐ１６には表示装置（ＬＥＤ）２９が接続されている。
【００１９】
マイクロコンピュータ２１のＡ／Ｄ変換入力端子ＡＤ１には電圧増幅回路６の出力端子が接続され、電圧増幅回路６の入力端子には水平方向磁界検出素子（水平磁界センサとも称す）４の出力が接続されている。
マイクロコンピュータ２１のＡ／Ｄ変換入力端子ＡＤ３には水平磁界補正電流検出回路２２の出力が接続されており、水平磁界補正電流検出回路２２の２つの差動入力端子は接続用コネクタ３２を介して水平方向磁界補正コイル２の両端に接続され、水平方向磁界補正コイル２の直流抵抗分により発生する電圧が印加されている。そして、ＡＤ３端子には水平方向磁界補正コイル２に流れる電流に対応した電圧が印加される。
３は垂直方向（管軸と直交する上下方向）の外部磁界をキャンセルするための垂直方向磁界補正コイルであり、この垂直方向磁界補正コイル３に取り付けられた接続用コネクタ３５および制御回路１００上の接続用コネクタ３４を介して垂直磁界補正用電流駆動回路１７の出力端子に接続されている。垂直磁界補正用電流駆動回路１７の入力は電圧増幅回路２７を介してマイクロコンピュータ２１のＤ／Ａ変換出力端子Ｐ１１に接続されている。
【００２０】
マイクロコンピュータ２１のＡ／Ｄ変換入力端子ＡＤ２には電圧増幅回路１３の出力端子が接続され、この電圧増幅回路１３の入力端子には垂直方向磁界検出素子（垂直磁界センサとも称す）１１が接続されている。
マイクロコンピュータ２１のＡ／Ｄ変換入力端子ＡＤ４には垂直磁界補正電流検出回路２３の出力が接続されており、垂直磁界補正電流検出回路２３の２つの差動入力端子は接続用コネクタ３４を介して垂直方向磁界補正コイル３の両端に接続され、垂直方向磁界補正コイル３の直流抵抗分により発生する電圧が印加されている。そして、ＡＤ４端子には垂直方向磁界補正コイル３に流れる電流に対応した電圧が印加される。
【００２１】
水平方向磁界検出素子４は地磁気の大きさに比例した電圧を電圧増幅回路６を介しマイクロコンピュータ２１のＡ／Ｄ変換入力端子ＡＤ１に出力する。
マイクロコンピュータ２１はＡ／Ｄ変換入力端子ＡＤ１に加えられた電圧をＡ／Ｄ変換し数値化し、不揮発性メモリ１９内に予め記憶された水平磁界センサオフセット補正データを加減算し、水平磁界検出データを求める。
次に、マイクロコンピュータ２１は予め設定された手順に従って前記の水平磁界検出データに比例したキャンセルコイル駆動データを求め、不揮発性メモリ１９内に予め記憶された水平補正コイル駆動回路オフセットデータを加減算し、水平方向磁界補正コイル駆動データを得る。
次に、マイクロコンピュータ２１は同データをＤ／Ａ変換出力端子Ｐ１０によりＤ／Ａ変換して出力され、電圧増幅回路２６を介して水平磁界補正用電流駆動回路１０に供給される。
水平磁界補正用電流駆動回路１０は、その入力電圧に比例した電流を水平方向磁界補正コイル２へ供給し、この結果、水平方向（管軸方向）への地磁気の影響を補正する磁界を発生する。
【００２２】
以上のように、本実施の形態による外部磁界補正装置は水平方向磁界検出素子４あるいは／および垂直方向磁界検出素子１１とで構成された外部磁界検出手段と、水平方向磁界補正コイル２あるいは／および垂直方向磁界補正コイル３とで構成された外部磁界補正コイルと、水平磁界補正電流検出回路２２あるいは／および垂直磁界補正電流検出回路２３とで構成された外部磁界補正コイル電流検出手段と、水平磁界補正用電流駆動回路１０あるいは／および垂直磁界補正用電流駆動回路１７とで構成された外部磁界補正用電流駆動手段を備えている。
【００２３】
以下、具体的な動作について、図２、図３、図４に示すマイクロコンピュータの動作フローチャートに基づき説明する。
図２において、先ず最初にマイクロコンピュータ２１に内蔵のメモリ、レジスタ、Ｄ／Ａ変換器等の入出力端子の初期設定を行う（ステップＳＴ１）。
次に、ＡＤ１端子入力より水平磁界の検出を行い、その検出結果に基づいて補正を加え水平磁界の検出結果に対応する水平補正コイル駆動データを決定する（ステップＳＴ２）。
次に、ＡＤ２端子入力より垂直磁界の検出を行い、その検出結果に基づいて補正を加え垂直磁界の検出結果に対応する垂直補正コイル駆動データを決定する（ステップＳＴ３）。
【００２４】
次に、上記で求めた水平補正コイル駆動データおよび垂直補正コイル駆動データをＤ／Ａ変換し、それぞれＤ／Ａ変換器出力Ｐ１０およびＰ１１より出力する（ステップＳＴ４）。
次に、Ｐ１２端子の信号レベルを読み、タクトスイッチ２５のキー入力の状態をチェックし（ステップＳＴ５）、キー入力が無い場合は上記ＳＴ２に戻り、ＳＴ２〜ＳＴ５の動作を繰り返す（ステップＳＴ６）。
次に、キー入力がある場合は水平磁界補正コイル２および垂直方向磁界補正コイル３に流れるオフセット電流の調整を行う（ステップＳＴ７）。
このとき、キー入力を行う条件として、ＣＲＴディスプレイ装置周辺の外部磁界を零に設定する。
【００２５】
以下、図３に基づいて上記のステップＳＴ２の動作内容の詳細について説明する。
先ず、Ａ／Ｄ変換器入力ＡＤ１の入力より水平磁界強度の検出を開始し（ステップＳＴ８）、検出動作が終了するまで待つ（ステップＳＴ９）。
次に、検出データが一定の範囲内であるかチェックし範囲外の場合は異常として処理を中断しスキップする。即ち、異常入力除去手段を有している。
（ステップＳＴ１０）。
次に、検出データが一定の範囲内である場合は入力データに補正値水平磁界センサオフセットデータを加えセンサのオフセット分を補正し水平磁界検出データを得る（ステップＳＴ１１）。
さらに、水平磁界検出データを予め設定された手段（たとえばテーブル参照や比例演算）にしたがって変換し、その結果に水平補正コイル駆動オフセットデータを加え駆動回路のオフセット分を補正し、水平補正コイル駆動データを得る。（ステップＳＴ１２）。
図２のステップＳＴ３の動作についても上記と同様である。
【００２６】
次に、図２のステップＳＴ７の動作について、図４に基づいて説明する。
先ず、調整動作中を表示するために表示装置（ＬＥＤ）２９の点滅を開始する（ステップＳＴ１３）。
次に、Ａ／Ｄ変換器入力ＡＤ１の入力より水平磁界強度の検出を開始し、一定時間繰り返しサンプリングを行い平均値を計算し（ステップＳＴ１４）、検出動作が終了するまで待つ（ステップＳＴ１５）。
次に、検出データが一定の範囲内であるかチェックし範囲外の場合は異常として処理を中断しスキップする（ステップＳＴ１６）。
次に、センサ検出入力と設計中心値（固定値）との差を計算し、結果を補正データ水平磁界センサオフセットデータとし、不揮発性メモリ（ＥＥＰＲＯＭ）１９へ記憶する（ステップＳＴ１７）。
【００２７】
次に、調整データを適当な値に初期設定する（ステップＳＴ１８）。
次に、調整データをＤ／Ａ変換し、Ｄ／Ａ変換器出力Ｐ１０より出力する（ステップＳＴ１９）。
次に、回路の動作応答の遅れに対応するため一定時間待つ（ステップＳＴ２０）。
次に、Ａ／Ｄ変換器ＡＤ３入力には水平方向磁界補正コイル２に流れる電流に対応した電圧が入力されており、水平方向磁界補正コイル２の動作電流を検出する（ステップＳＴ２１）。
次に、上記検出結果が一定値Ａ以下か否かを判定し、結果がＡより大きい場合にはステップＳＴ２３に進んで調整データに１を減算し、ステップＳＴ１９へ戻る。
上記結果がＡ以下の場合はステップＳＴ２４に進んで上記検出結果が一定値Ｂ以上か否か判定し、結果がＢより小さい場合はステップＳＴ２５に進み調整データに１を加算し、ステップＳＴ１９へ戻る。
【００２８】
ステップＳＴ２４で結果がＢ以上と判定された場合は水平方向磁界補正コイル２に流れる電流が一定値以内に収束したものと判断し、調整データと設計中心値（固定値）との差水平補正コイル駆動回路オフセットデータを計算し、不揮発性メモリ（ＥＥＰＲＯＭ）１９へ記憶する（ステップＳＴ２６）。
最後に表示装置（ＬＥＤ）２９の点滅を止め、処理を終了する（ステップＳＴ２７）。
以上の動作により水平方向磁界補正コイル２に流れる電流を一定値以下に設定するために必要な補正データ水平磁界センサオフセットデータおよび補正データ水平補正コイル駆動回路オフセットデータが求められ、不揮発性メモリ（ＥＥＰＲＯＭ）１９に記憶される。
尚、ここでは水平磁界補正に関する動作のみ記述したが、垂直磁界補正に関する動作も同様である。
【００２９】
以上のように、本実施の形態による外部磁界補正装置においては、マイクロコンピュータに備えられた出力オフセット電流の補正手段および出力オフセット電流の補正値の設定手段は、磁気センサや駆動回路の動作バラツキによるオフセット電流のバラツキを自動的に調整し、補正する。
すなわち、マイクロコンピュータに備えられた出力オフセット電流の補正値の設定手段は、外部磁界が零の時に磁界補正コイルに流れる電流を測定することにより、その電流が一定値以下に絞られた時の補正コイル駆動データより出力オフセット電流の補正値を求め不揮発性メモリ内に設定する。
そして、出力オフセット電流の補正手段（即ち、オフセット値調整手段）は、外部磁界の検出結果に基づき決定された磁界補正データを出力オフセット電流の補正値にて補正し、外部磁界が零の時、磁界補正コイルに流れる電流（オフセット電流）が一定値以下になるように動作する。
【００３０】
言い換えれば、本実施の形態では、マイクロコンピュータ、増幅回路、磁気センサ、不揮発性メモリ，電流検出手段および、指令用スイッチおよび、前記マイクロコンピュータ内の出力オフセット電流の補正手段および出力オフセット電流の補正値の設定手段を構成することにより、外部磁界を零に設定した上で、指令用スイッチ（タクトスイッチ）を押すことにより、外部磁界が零の時の磁界補正コイルの出力電流オフセットの値を一定値以下に抑えるための補正値を設定することができ、外部磁界が零の場合の動作時の磁界補正コイルの出力電流オフセットの値を一定値以下に抑えることができるので、調整の手間が省け精度の高い磁界補正装置を得ることができる。
【００３１】
実施の形態２．
図５は、実施の形態２による外部磁界補正装置の構成を示すブロック図である。
本実施の形態では、実施の形態１の図においてタクトスイッチ（指令用スイッチ）２５の代わりに、マイクロコンピュータ２１に内蔵のシリアル通信インターフェースＳＩＯおよび通信用コネクタ３６を用いた場合の例であり、マイクロコンピュータ２１内に外部との通信手段を持ち、これに接続された通信用端子を備えているので、人がタクトスイッチ（指令用スイッチ）２５を操作して手動にて調整を行う代わりに通信手段を利用して外部自動調整器により調整を行うことが出来る。
さらに、タクトスイッチ２５の他に表示装置２９も省くことが出来る。
【００３２】
実施の形態３．
図６は、実施の形態３による外部磁界補正装置の構成を示すブロック図である。
本実施の形態では、例えば図５の実施の形態２の構成において水平方向磁界補正コイル２および垂直方向磁界補正補正コイル３の両端をそれぞれの電流検出回路である水平磁界補正電流検出回路２２および垂直磁界補正電流検出回路２３へ接続していた代わりに、図６に示すように水平方向磁界補正コイル２に直列に挿入された抵抗器５１の両端の信号が水平磁界補正電流検出回路２２の入力信号に、また、垂直方向磁界補正コイル３に直列に挿入された抵抗器５２の両端の信号が垂直磁界補正電流検出回路２３の入力信号となるように接続されている。
【００３３】
また、図１の実施の形態１の構成においても同様の構成を採用することができる。
このように水平および垂直の磁界補正電流検出回路構成２２、２３の入力信号として、それぞれ水平および垂直方向磁界補正コイル２、３に直列に挿入された抵抗器５１、５２の両端の電圧を用いることにより、水平および垂直方向磁界補正コイル２、３の抵抗値のバラツキに関係なく、簡単な回路構成で水平および垂直方向磁界補正コイルの電流値を精度良く検出することができる。
【００３４】
実施の形態４．
図７は、図１に示した実施の形態１による外部磁界補正装置を備えたＣＲＴディスプレイ装置装置の一例を示すブロック図である。
図において、マトリクススイッチ３９は通常使用時には画面輝度や色合い等を調整するためにＣＲＴディスプレイの前面に設けられた調整パネル上のスイッチである。
ＯＳＤ回路４０は画面調整時にメニューや調整値を表示するためのオンスクリーンディスプレイ装置である。
【００３５】
４１は映像入力インターフェース４２およびＯＳＤ回路４０にその入力が接続され、ＣＲＴ１のカソード電極にその出力が接続された映像増幅回路である。マイクロコンピュータ２１は、マトリクススイッチの入力状態を常に監視しており、入力があると判断した場合、ＯＳＤ回路４０を起動する。
ＯＳＤ回路４０が起動されると、ＣＲＴ１の表示画面にメニュ選択画面が表示される。
メニューの中には外部磁界補正装置の調整が含まれており、予め設定された手順にしたがって操作すると、外部磁界補正装置の調整動作が起動するので、図１に示した実施の形態１と同様の効果を奏する。
【００３６】
【発明の効果】
この発明に係る外部磁界補正装置によれば、ＣＲＴ周辺の外部磁界を検出する外部磁界検出手段と、ＣＲＴの周辺に配置され、外部磁界を補正するための外部磁界補正コイルと、外部磁界補正コイルに流れる電流値を検出する外部磁界補正コイル電流検出手段と、外部磁界検出手段の検出結果に基づいて外部磁界補正コイルに外部磁界補正用の補正電流を流す外部磁界補正用電流駆動手段と、ＣＲＴ周辺の外部磁界が零の時に、外部磁界補正用電流駆動手段の出力が所定値以下になるように外部磁界補正用電流駆動手段のオフセット値を調整すると共に、この調整値を記憶するオフセット値調整手段とを備えたので、外部磁界補正用電流駆動手段のオフセットを所定値以下に調整できると共に、設置場所に関係なく常に外部磁界補正用電流駆動手段のオフセット調整を容易に行うことが可能となり、調整の手間が省け、かつ補正精度の高い外部磁界補正装置を実現できるという効果がある。
【００３７】
また、この発明に係る外部磁界補正装置によれば、外部磁界検出手段の出力が所定値以上の場合は、異常と判断してオフセット調整手段の動作を中断し、スキップさせる異常入力除去手段を備えたので、消磁動作等による異常入力時にも誤動作することのない信頼性の高い外部磁界補正装置を実現することができるという効果がある。
【００３８】
また、この発明に係る外部磁界補正装置によれば、そのオフセット値調整手段は外部との通信手段を有し、該通信手段を利用して外部調整器により外部磁界補正用電流駆動手段のオフセット値を調整するように構成したので、人が手動にて調整を行う代わりに外部自動調整器により調整を行うことが出来るという効果がある。
【００３９】
また、この発明に係る外部磁界補正装置によれば、その外部磁界補正コイル電流検出手段は外部磁界補正コイルに直列に挿入された抵抗器であることを特徴とするので、外部磁界補正コイルの抵抗値のバラツキに関係なく、簡単な構成で外部磁界補正コイルに流れる補正電流を精度良く検出できるという効果がある。
【００４０】
また、この発明に係るＣＲＴディスプレイ装置は請求項１乃至４のいずれかに記載の外部磁界補正装置を備えたことを特徴とするので、上述したような外部磁界補正用電流駆動手段のオフセットを所定値以下に調整できると共に、設置場所に関係なく常に外部磁界補正用電流駆動手段のオフセット調整を容易に行うことが可能となり、調整の手間が省け、かつ精度の高い外部磁界補正機能を有したＣＲＴディスプレイ装置を実現できる、あるいは消磁動作等による異常入力時にも誤動作することのない信頼性の高い外部磁界補正機能を有したＣＲＴディスプレイ装置を実現することができるという効果がある。
【００４１】
また、この発明に係るＣＲＴディスプレイ装置は外部磁界補正装置の調整メニューを含むＯＳＤ回路を有し、あらかじめ設定された調整メニューにしたがって外部磁界の補正を行うように構成されているので、マイクロコンピュータの入力端子に接続された指令用スイッチに代わり、ＣＲＴディスプレイ装置の前面に設置された画面調整用のマトリクススイッチとオンスクリーンディスプレイ機能を用いて外部磁界補正の調整が可能となり、指令用スイッチや表示装置（ＬＥＤ）を省くことが出来るという効果がある。
【図面の簡単な説明】
【図１】実施の形態１による外部磁界補正装置の構成を示すブロック図である。
【図２】この発明の一実施例によるＣＲＴディスプレイ装置の外部磁界補正装置の動作を示すフローチャートである。
【図３】この発明の一実施例によるＣＲＴディスプレイ装置の外部磁界補正装置の動作の内、水平磁界補正データの作成動作を示すフローチャートである。
【図４】この発明の一実施例によるＣＲＴディスプレイ装置の外部磁界補正装置の動作の内、水平磁界補正コイルのオフセット電流調整動作を示すフローチャートである。
【図５】実施の形態２による外部磁界補正装置の構成を示すブロック図である。
【図６】実施の形態３による外部磁界補正装置の構成を示すブロック図である。
【図７】実施の形態４によるＣＲＴディスプレイ装置の構成を示すブロック図である。
【図８】従来のＣＲＴディスプレイ装置の外部磁界補正装置を示すブロック図である。
【図９】従来の他のＣＲＴディスプレイ装置の外部磁界補正装置を示すブロック図である。
【符号の説明】
１  ＣＲＴ
２  水平方向磁界補正コイル      ３  垂直方向磁界補正コイル
４  水平方向磁界検出素子        ６  （電圧）増幅回路
７  オフセット電圧発生回路    １０  水平磁界補正用電流駆動回路
１１  垂直方向磁界検出素子      １３  （電圧）増幅回路
１７  垂直磁界補正用電流駆動回路
１９  不揮発性メモリ            ２０  磁界強度差検出器
２１  マイクロコンピュータ      ２２  水平磁界補正電流検出回路
２３  垂直磁界補正電流検出回路  ２５  タクトスイッチ
２９  表示装置（ＬＥＤ）        ３２、３３  接続用コネクタ
３６  通信用端子                ３９  マトリックススイッチ
４０  ＯＳＤ回路                ４１  映像増幅回路
５１、５２  抵抗器            １００  制御回路
【図１】
0003571188.tif 000002
【図２】
0003571188.tif 000003
【図３】
0003571188.tif 000004
【図４】
0003571188.tif 000005
【図５】
0003571188.tif 000006
【図６】
0003571188.tif 000007
【図７】
0003571188.tif 000008
【図８】
0003571188.tif 000009
【図９】
0003571188.tif 000010